(57)【要約】【課題】曲面状の表示面を有する表示装置において、ＴＦＴ基板及びＣＦ基板の位置ずれに起因する表示品位の低下を抑える。【解決手段】曲面状の表示面を有する表示装置であって、第１方向に曲げられた第１基板は複数のデータ線と複数のゲート線とを含み、第１方向に曲げられた第２基板は、光透過部と遮光部とを含み、前記遮光部は、前記第１方向に延在する複数の第１遮光部分と第２方向に延在する複数の第２遮光部分とを含み、前記複数の第２遮光部分は、前記表示面の中央側に配置される中央遮光部分と、前記表示面の前記第１方向の端部側に配置される端部遮光部分と、これらの間に配置される中間遮光部分とを含み、前記中間遮光部分の前記第１方向の幅は、前記中央遮光部分の前記第１方向の幅よりも広く、かつ、前記端部遮光部分の前記第１方向の幅よりも広い、又は、前記端部遮光部分の前記第１方向の幅と等しい。【選択図】図１０
2017181818.tif 000002
【特許請求の範囲】
【請求項１】
曲面状の表示面を有する表示装置であって、
第１方向に曲げられた第１基板と、
前記第１方向に曲げられ、前記第１基板に対向配置された第２基板と、
を含み、
前記第１基板は、複数のデータ線と、複数のゲート線とを含み、
前記第２基板は、光を透過する複数の光透過部と、該複数の光透過部それぞれの周囲に形成され、光の透過を遮断する遮光部と、を含み、
前記遮光部は、前記第１方向に延在する複数の第１遮光部分と、前記第１方向とは異なる第２方向に延在する複数の第２遮光部分と、を含み、
前記複数の第２遮光部分は、前記表示面の中央側に配置される中央遮光部分と、前記表示面の前記第１方向の端部側に配置される端部遮光部分と、前記中央遮光部分と前記端部遮光部分との間に配置される中間遮光部分とを含み、
前記中間遮光部分の前記第１方向の幅は、
前記中央遮光部分の前記第１方向の幅よりも広く、かつ、
前記端部遮光部分の前記第１方向の幅よりも広い、又は、前記端部遮光部分の前記第１方向の幅と等しい、
ことを特徴とする表示装置。
【請求項２】
複数の前記中間遮光部分において、前記表示面の中央側に近づく程、前記第１方向の幅が狭く、かつ、前記表示面の端部側に近づく程、前記第１方向の幅が狭くなっている、
ことを特徴とする請求項１に記載の表示装置。
【請求項３】
前記複数の第２遮光部分それぞれの前記第１方向の幅について、該幅が最大となる前記中間遮光部分から前記端部遮光部分までのそれぞれの前記幅の変化の割合が、該幅が最大となる前記中間遮光部分から前記中央遮光部分までのそれぞれの前記幅の変化の割合よりも大きい、
ことを特徴とする請求項２に記載の表示装置。
【請求項４】
前記中央遮光部分の前記第１方向の幅と、前記端部遮光部分の前記第１方向の幅とは互いに等しい、
ことを特徴とする請求項１に記載の表示装置。
【請求項５】
前記複数の第１遮光部分それぞれの前記第２方向の幅は互いに等しい、
ことを特徴とする請求項１に記載の表示装置。
【請求項６】
前記複数のゲート線は前記第１方向に延在しており、前記複数のデータ線は前記第２方向に延在しており、
前記複数の第２遮光部分それぞれの前記第１方向の幅の中心位置と、前記複数のデータ線それぞれの前記第１方向の幅の中心位置とが互いに一致している、
ことを特徴とする請求項１に記載の表示装置。
【発明の詳細な説明】
【技術分野】
【０００１】
本発明は、表示装置に関する。
【背景技術】
【０００２】
近年、曲面状の表示面を有する液晶表示装置が提案されている（例えば特許文献１）。上記液晶表示装置では、一対の基板（薄膜トランジスタ基板（ＴＦＴ基板）及びカラーフィルタ基板（ＣＦ基板））それぞれが曲面状に湾曲するように形成される。
【先行技術文献】
【特許文献】
【０００３】
【特許文献１】特開２００９−９２８８４号公報
【発明の概要】
【発明が解決しようとする課題】
【０００４】
ここで、本願発明者らは、曲面状の表示面を有する液晶表示装置において、ＴＦＴ基板とＣＦ基板との位置ずれに起因して表示不良が生じることを見出した。具体的には、上記液晶表示装置の製造工程において、ＴＦＴ基板とＣＦ基板とを貼り合わせて湾曲させた場合に、両基板に延伸応力及び圧縮応力が働き、表示領域における応力分布に応じてＴＦＴ基板とＣＦ基板との位置ずれの大きさ（位置ずれ量）が場所ごとに異なり、これにより混色や光漏れが生じ表示ムラが視認されること分かった。図１５は、ＴＦＴ基板とＣＦ基板とを貼り合わせた表示パネルを曲率半径５００ｍｍで曲げたときに生じる位置ずれ量のシミュレーションの結果を示す図である。ここでは、横長形状の表示パネルにおいて、左右両端を固定し、長手方向（左右方向）に曲げたときの位置ずれ量を示している。図１５に示すように、表示パネルの中央部及び左右端部では、位置ずれ量が小さく、表示パネルの中央部と左右端部との間の領域において、位置ずれ量が大きくなっていることが分かる。上記シミュレーション結果によれば、位置ずれ量が大きい領域において上記表示ムラが顕著になると考察される。
【０００５】
本発明は、上記実情に鑑みてなされたものであり、その目的は、曲面状の表示面を有する表示装置において、ＴＦＴ基板及びＣＦ基板の位置ずれに起因する表示品位の低下を抑えることにある。
【課題を解決するための手段】
【０００６】
上記課題を解決するために、本発明に係る表示装置は、曲面状の表示面を有する表示装置であって、第１方向に曲げられた第１基板と、前記第１方向に曲げられ、前記第１基板に対向配置された第２基板と、を含み、前記第１基板は、複数のデータ線と、複数のゲート線とを含み、前記第２基板は、光を透過する複数の光透過部と、該複数の光透過部それぞれの周囲に形成され、光の透過を遮断する遮光部と、を含み、前記遮光部は、前記第１方向に延在する複数の第１遮光部分と、前記第１方向とは異なる第２方向に延在する複数の第２遮光部分と、を含み、前記複数の第２遮光部分は、前記表示面の中央側に配置される中央遮光部分と、前記表示面の前記第１方向の端部側に配置される端部遮光部分と、前記中央遮光部分と前記端部遮光部分との間に配置される中間遮光部分とを含み、前記中間遮光部分の前記第１方向の幅は、前記中央遮光部分の前記第１方向の幅よりも広く、かつ、前記端部遮光部分の前記第１方向の幅よりも広い、又は、前記端部遮光部分の前記第１方向の幅と等しい、ことを特徴とする。
【０００７】
本発明に係る表示装置では、複数の前記中間遮光部分において、前記表示面の中央側に近づく程、前記第１方向の幅が狭く、かつ、前記表示面の端部側に近づく程、前記第１方向の幅が狭くてもよい。
【０００８】
本発明に係る表示装置では、前記複数の第２遮光部分それぞれの前記第１方向の幅について、該幅が最大となる前記中間遮光部分から前記端部遮光部分までのそれぞれの前記幅の変化の割合が、該幅が最大となる前記中間遮光部分から前記中央遮光部分までのそれぞれの前記幅の変化の割合よりも大きくてもよい。
【０００９】
本発明に係る表示装置では、前記中央遮光部分の前記第１方向の幅と、前記端部遮光部分の前記第１方向の幅とは互いに等しくてもよい。
【００１０】
本発明に係る表示装置では、前記複数の第１遮光部分それぞれの前記第２方向の幅は互いに等しくてもよい。
【００１１】
本発明に係る表示装置では、前記複数のゲート線は前記第１方向に延在しており、前記複数のデータ線は前記第２方向に延在しており、前記複数の第２遮光部分それぞれの前記第１方向の幅の中心位置と、前記複数のデータ線それぞれの前記第１方向の幅の中心位置とが互いに一致してもよい。
【発明の効果】
【００１２】
本発明に係る液晶表示装置及びその製造方法によれば、曲面状の表示面を有する表示装置において、ＴＦＴ基板及びＣＦ基板の位置ずれに起因する表示品位の低下を抑えることができる。
【図面の簡単な説明】
【００１３】
【図１】本実施形態に係る液晶表示装置の全体構成の概略を示す図である。
【図２】本実施形態に係る液晶表示装置が湾曲した状態を示す断面図である。
【図３】本実施形態に係る液晶表示装置が湾曲した状態を示す断面図である。
【図４】本実施形態に係る液晶表示装置の曲げ方向を示す平面図である。
【図５】本実施形態に係る液晶表示装置の曲げ方向を示す平面図である。
【図６】本実施形態に係る表示パネルの画素の構成例を示す平面図である。
【図７】図６のＡ−Ａ断面図である。
【図８】図６のＢ−Ｂ断面図である。
【図９】本実施形態に係るブラックマトリクスの全体構成を示す平面図である。
【図１０】図９に示すブラックマトリクスの全体構成おいて左領域の一部を拡大した構成を示す平面図である。
【図１１】図９に示すブラックマトリクスの全体構成おいて右領域の一部を拡大した構成を示す平面図である。
【図１２】本実施形態に係る、行方向に隣り合う３つの画素の断面構成を示す図である。
【図１３】本実施形態に係るブラックマトリクスの幅と、位置ずれ量との関係を示すグラフである。
【図１４】本実施形態に係るブラックマトリクスの幅と、位置ずれ量との他の関係を示すグラフである。
【図１５】ＴＦＴ基板とＣＦ基板とを貼り合わせた表示パネルを曲げたときに生じる位置ずれ量のシミュレーションの結果を示す図である。
【発明を実施するための形態】
【００１４】
本発明の一実施形態について、図面を用いて以下に説明する。本発明の実施形態では、表示装置として、液晶表示装置を例に挙げるが、本発明はこれに限定されず、例えば有機ＥＬ表示装置等であってもよい。
【００１５】
図１は、本実施形態に係る液晶表示装置の概略構成を示す図である。液晶表示装置１は、画像を表示する表示パネル１０と、表示パネル１０を駆動する駆動回路（データ線駆動回路２０、ゲート線駆動回路３０等）と、駆動回路を制御する制御回路４０と、表示パネル１０に背面側から光を照射するバックライト装置５０とを含んで構成されている。駆動回路は、表示パネル１０に設けられてもよい。
【００１６】
液晶表示装置１は、図２に示すように、表示面側が凹状となり背面側が凸状となるように湾曲した曲面状の外形、又は、図３に示すように、表示面側が凸状となり背面側が凹状となるように湾曲した曲面状の外形を有している。図２に示す液晶表示装置１では、薄膜トランジスタ基板（ＴＦＴ基板１００）を構成するガラス基板１０１には延伸応力が働き、カラーフィルタ基板（ＣＦ基板２００）を構成するガラス基板２０１には圧縮応力が働く。図３に示す液晶表示装置１では、ＴＦＴ基板１００を構成するガラス基板１０１には圧縮応力が働き、ＣＦ基板２００を構成するガラス基板２０１には延伸応力が働く。尚、詳細は後述するが、ＴＦＴ基板１００及びＣＦ基板２００の間には液晶層３００が配置されており、ＴＦＴ基板１００及びＣＦ基板２００は、液晶層３００を挟持しつつシール部６０により互いに貼り付け固定されている。
【００１７】
図１に戻り、表示パネル１０には、列方向に延在する複数のデータ線１１と、行方向に延在する複数のゲート線１２とが設けられている。各データ線１１と各ゲート線１２との各交差部には、薄膜トランジスタ１３（ＴＦＴ）が設けられている。各データ線１１及び各ゲート線１２は、液晶表示装置１の曲げ方向に応じて湾曲した形状（凸状）に形成される。上記曲げ方向とは、表示面に水平な方向であって、例えば行方向又は列方向をいう。例えば、上記曲げ方向が行方向の場合（図４参照）、データ線１１は直線状に形成され、ゲート線１２は湾曲状に形成される。また上記曲げ方向が列方向の場合（後述の図５参照）、データ線１１は湾曲状に形成され、ゲート線１２は直線状に形成される。
【００１８】
表示パネル１０には、各データ線１１と各ゲート線１２との各交差部に対応して、複数の画素１４がマトリクス状（行方向及び列方向）に配置されている。表示パネル１０を構成するＴＦＴ基板１００には、各画素１４に対応して設けられた複数の画素電極１５と、各画素１４に共通する１つの共通電極１６とが設けられている。共通電極１６は、１つの画素１４又は複数の画素１４ごとに分割して配置されていてもよい。
【００１９】
制御回路４０は、外部から入力された入力データ（同期信号、映像信号等）に基づき、データ線駆動回路２０及びゲート線駆動回路３０の駆動タイミングを制御するための各種の制御信号と、表示パネル１０の表示領域に表示する画像に対応する画像データとを出力する。
【００２０】
データ線駆動回路２０は、制御回路４０から入力された制御信号及び画像データに基づいて、各データ線１１にデータ信号（データ電圧）を出力する。
【００２１】
ゲート線駆動回路３０は、外部から入力された電源電圧と、制御回路４０から入力された制御信号とに基づいてゲート信号（ゲート電圧）を生成し、各ゲート線１２に出力する。
【００２２】
図６は、表示パネル１０の画素１４の構成例を示す平面図である。図７は図６のＡ−Ａ断面図であり、図８は図６のＢ−Ｂ断面図である。図６〜図８を参照しつつ、画素１４の具体的な構成について説明する。
【００２３】
図６において、隣り合う２本のデータ線１１と、隣り合う２本のゲート線１２とで区画された領域が１つの画素１４に相当する。各画素１４には、薄膜トランジスタ１３が設けられている。薄膜トランジスタ１３は、絶縁膜１０２（図７、図８参照）上に形成された半導体層２１と、半導体層２１上に形成されたドレイン電極２２及びソース電極２３とを含んで構成されている（図６参照）。ドレイン電極２２はデータ線１１に電気的に接続されており、ソース電極２３はスルーホール２４を介して画素電極１５に電気的に接続されている。
【００２４】
各画素１４には、スズ添加酸化インジウム（ＩＴＯ）等の透明導電膜からなる画素電極１５が形成されている。画素電極１５は、複数の開口部（スリット）を有しており、ストライプ状に形成されている。開口部の形状は限定されない。各画素１４に共通して、表示領域全体にＩＴＯ等の透明導電膜からなる１つの共通電極１６が形成されている。共通電極１６における、スルーホール２４及び薄膜トランジスタ１３のソース電極２３に重なる領域には、画素電極１５とソース電極２３とを電気的に接続させるための開口部（図６の点線囲みに相当）が形成されている。
【００２５】
図７に示すように、表示パネル１０は、ＴＦＴ基板１００と、ＣＦ基板２００と、ＴＦＴ基板１００及びＣＦ基板２００の間に挟持される液晶層３００と、を含んで構成されている。
【００２６】
ＴＦＴ基板１００では、ガラス基板１０１上にゲート線１２（図８参照）が形成され、ゲート線１２を覆うように絶縁膜１０２が形成されている。絶縁膜１０２上にはデータ線１１（図７参照）が形成され、データ線１１を覆うように絶縁膜１０３が形成されている。絶縁膜１０３上には共通電極１６が形成され、共通電極１６を覆うように絶縁膜１０４が形成されている。絶縁膜１０４上には画素電極１５が形成され、画素電極１５を覆うように配向膜１０５が形成されている。ガラス基板１０１におけるバックライト装置５０側（液晶層３００側とは反対側）の面（背面）には偏光板１０６が貼り付けられている。
【００２７】
ＣＦ基板２００では、各画素１４に対応して配置され、所定の光を透過する複数の光透過部２０２と、光の透過を遮断するブラックマトリクス２０３とが形成されている。複数の光透過部２０２は、例えば、赤色の着色部（赤色部）が形成され、赤色の光を透過する赤色光透過部と、緑色の着色部（緑色部）が形成され、緑色の光を透過する緑色光透過部と、青色の着色部（青色部）が形成され、青色の光を透過する青色光透過部と、を含んでいる。光透過部（着色部）の配列は、赤色光透過部、緑色光透過部、及び青色光透過部が列方向にこの順に繰り返し配列され、同一色の光透過部が行方向に配列する縦ストライプ配列でもよいし、赤色光透過部、緑色光透過部、及び青色光透過部が行方向にこの順に繰り返し配列され、同一色の光透過部が列方向に配列する横ストライプ配列でもよい。ブラックマトリクス２０３は、行方向及び列方向に隣り合う光透過部２０２の間の領域（境界部）に形成されている。ブラックマトリクス２０３の列方向に延在する部分の幅方向の中心線ｍ１の位置は、データ線１１の幅方向の中心線の位置と一致しており、ブラックマトリクス２０３の行方向に延在する部分の幅方向の中心線ｎ１の位置は、ゲート線１２の幅方向の中心線の位置と一致している。ブラックマトリクス２０３の具体的な構成は後述する。
【００２８】
光透過部２０２及びブラックマトリクス２０３を覆うようにオーバコート層２０４が形成されている。オーバコート層２０４上には配向膜２０５が形成されている。ガラス基板２０１における表示面側（液晶層３００側とは反対側）の面（表面）には偏光板２０６が貼り付けられている。画素１４を構成する各部の積層構造は、図７及び図８の構成に限定されるものではなく、周知の構成を適用することができる。
【００２９】
液晶層３００には、液晶３０１が封入されている。液晶３０１は、誘電率異方性が負のネガ型液晶であってもよいし、誘電率異方性が正のポジ型液晶であってもよい。配向膜１０５，２０５は、ラビング配向処理が施された配向膜であってもよいし、光配向処理が施された光配向膜であってもよい。
【００３０】
上記のように、液晶表示装置１は、ＴＦＴ基板１００及びＣＦ基板２００に略平行な電界を液晶層３００に印加する横電界方式の構成を有している。液晶表示装置１は、例えば、ＩＰＳ（In Plane Switching）方式の構成を有している。なお、液晶表示装置１は、横電界方式に限定されず、例えばＶＡ（Vertical Alignment）方式の構成を有してもよい。
【００３１】
液晶表示装置１の駆動方法を簡単に説明する。ゲート線１２にはゲート線駆動回路３０から走査用のゲート電圧（ゲートオン電圧、ゲートオフ電圧）が供給される。データ線１１にはデータ線駆動回路２０から映像用のデータ電圧が供給される。ゲート線１２にゲートオン電圧が供給されると、薄膜トランジスタ１３がオン状態になり、データ線１１に供給されたデータ電圧が、ドレイン電極２２及びソース電極２３を介して画素電極１５に伝達される。共通電極１６には、共通電極駆動回路（図示せず）から共通電圧（Ｖｃｏｍ）が供給される。共通電極１６は、絶縁膜１０４を介して画素電極１５に重なっており、画素電極１５には、開口部（スリット）が形成されている。これにより、画素電極１５から液晶層３００を経て画素電極１５の開口部を介して共通電極１６に至る電界により液晶３０１が駆動する。液晶３０１が駆動して液晶層３００を透過する光の透過率を制御することにより画像が表示される。液晶表示装置１の駆動方法は上記の方法に限定されず、周知の方法を適用することができる。
【００３２】
本実施形態に係る液晶表示装置１は、ＴＦＴ基板１００及びＣＦ基板２００の位置ずれに起因する表示ムラ等の表示品位の低下を抑える構成を有する。具体的には、例えば、ブラックマトリクス２０３の幅が、上記位置ずれが生じる領域に応じて異なる値に設定されている。以下、本実施形態に係るブラックマトリクス２０３の具体的な構成について説明する。
【００３３】
図９は、ブラックマトリクス２０３の全体構成を示す平面図である。ブラックマトリクス２０３は、全体として格子状に形成されており、平面的に見て少なくとも一部がデータ線１１及びゲート線１２に重なるように形成されている。ブラックマトリクス２０３に囲まれた領域が光透過部２０２となる。ここでは、液晶表示装置１の曲げ方向が行方向の場合（図４参照）を例に挙げる。図９には、ブラックマトリクス２０３の全体領域において、表示領域（表示画面）の行方向の中心部分である中央部と、表示画面を視認する際に行方向の左側端部となる左端部と、表示画面を視認する際に行方向の右側端部となる右端部と、中央部及び左端部の間の領域である左領域と、中央部及び右端部の間の領域である右端部とを示している。
【００３４】
図１０は、図９に示すブラックマトリクス２０３の全体構成おいて左領域の一部を拡大した構成を示している。図１１は、図９に示すブラックマトリクス２０３の全体構成おいて右領域の一部を拡大した構成を示している。
【００３５】
図１０に示す左領域において、ブラックマトリクス２０３は、曲げ方向に直交する列方向に延在する列部分２０３ａの行方向の幅Ｗｂが、位置ずれ量に応じて異なるように設定されている。具体的には、位置ずれ量が最大となる領域（図１５の最大位置ずれ領域）に最も近接する列部分２０３ａの幅Ｗｂ１が最大となり、最大位置ずれ領域から左端部及び中央部に近づく程、列部分２０３ａの幅Ｗｂが狭くなるように設定されている。すなわち、ブラックマトリクス２０３の列部分２０３ａの幅は、Ｗｂ１＞Ｗｂ２＞Ｗｂ３＞Ｗｂ４、Ｗｂ１＞Ｗｂ５＞Ｗｂ６＞Ｗｂ７、を満たすように設定されている。ブラックマトリクス２０３の列部分２０３ａは行方向に等間隔（ピッチＰ１）で配置されている。また、列部分２０３ａの行方向の幅の中心線ｍ１の位置は、データ線１１の行方向の幅の中心線の位置と一致している。よって、光透過部２０２（開口部）の行方向の幅は、Ｗｃ１＜Ｗｃ２＜Ｗｃ３、Ｗｃ４＜Ｗｃ５＜Ｗｃ６となる。
【００３６】
また、ブラックマトリクス２０３における、曲げ方向（ここでは行方向）に延在する行部分２０３ｂの幅は、互いに等しくなるように設定されている。ブラックマトリクス２０３の行部分２０３ｂは列方向に等間隔（ピッチＰ２）で配置されている。また、行部分２０３ｂの列方向の幅の中心線ｎ１の位置は、ゲート線１２の列方向の幅の中心線の位置と一致している。
【００３７】
図１１に示す右領域では、図１０に示した左領域の構成を中央部（図９参照）を中心にして左右対称となるように構成されている。すなわち、ブラックマトリクス２０３は、曲げ方向に直交する列方向に延在する列部分２０３ａの行方向の幅Ｗｂが、位置ずれ量に応じて異なるように設定されている。具体的には、位置ずれ量が最大となる領域（図１５の最大位置ずれ領域）に最も近接する列部分２０３ａの幅Ｗｂ１が最大となり、最大位置ずれ領域から右端部及び中央部に近づく程、列部分２０３ａの幅Ｗｂが狭くなるように設定されている。すなわち、ブラックマトリクス２０３の列部分２０３ａの幅は、Ｗｂ１＞Ｗｂ２＞Ｗｂ３＞Ｗｂ４、Ｗｂ１＞Ｗｂ５＞Ｗｂ６＞Ｗｂ７、を満たすように設定されている。ブラックマトリクス２０３の列部分２０３ａは行方向に等間隔（ピッチＰ１）で配置されている。また、列部分２０３ａの行方向の幅の中心線ｍ１の位置は、データ線１１の行方向の幅の中心線の位置と一致している。よって、光透過部２０２（開口部）の行方向の幅は、Ｗｃ１＜Ｗｃ２＜Ｗｃ３、Ｗｃ４＜Ｗｃ５＜Ｗｃ６となる。
【００３８】
ブラックマトリクス２０３における、曲げ方向（ここでは行方向）に延在する行部分２０３ｂの構成は、図１０に示した構成と同一である。
【００３９】
図１２は、行方向に隣り合う３つの画素１４の断面構成を示す図である。図１２には、図１０に示すブラックマトリクス２０３の一部を示している。図１２に示すように、最大位置ずれ領域に最も近接する列部分２０３ａが最大幅を有し、位置ずれ量が最大となる領域（図１５の最大位置ずれ領域）に最も近接する列部分２０３ａが最大幅Ｗｂ１を有し、左端部及び中央部に近づく程、列部分２０３ａの幅Ｗｂが狭くなる。また、列部分２０３ａは、平面的に見てデータ線１１に重なっている。上記構成によれば、ブラックマトリクス２０３は、上記位置ずれ量に応じた幅を有しているため、開口率を必要以上に低下させることなく、ＴＦＴ基板１００及びＣＦ基板２００の位置ずれによる光漏れ等を抑えることができる。
【００４０】
図１３は、ブラックマトリクス２０３の幅と、位置ずれ量との関係を示すグラフである。図１３では、曲げ方向が行方向の場合における、ブラックマトリクス２０３の列部分２０３ａの行方向の幅Ｗｂを示している。例えば、位置ずれが生じ難く位置ずれ量が最小となる中央部、左端部及び右端部では、列部分２０３ａの幅Ｗｂはｔ１であり、互いに等しくなっている。一方、位置ずれが生じ易く位置ずれ量が最大となる領域（左右の最大位置ずれ領域）では、列部分２０３ａの幅Ｗｂはｔ２となっている（ｔ２＞ｔ１）。また、左右の領域において、最大位置ずれ領域から端部（左端部、右端部）までの位置ずれ量の変化の割合が、最大位置ずれ領域から中央部までの位置ずれ量の変化の割合よりも大きくなっている。そこで、ブラックマトリクス２０３の列部分２０３ａの幅も、上記割合に応じて設定することが好ましい。例えば、図１０において、幅Ｗｂ１を有する列部分２０３ａの左側に配置される列部分２０３ａの幅Ｗｂ２は、幅Ｗｂ１を有する列部分２０３ａの右側に配置される列部分２０３ａの幅Ｗｂ５よりも狭く（Ｗｂ２＜Ｗｂ５）、幅Ｗｂ１を有する列部分２０３ａの左側に配置される列部分２０３ａの幅Ｗｂ３は、幅Ｗｂ１を有する列部分２０３ａの右側に配置される列部分２０３ａの幅Ｗｂ６よりも狭くなるように設定されている（Ｗｂ３＜Ｗｂ６）。同様に、列部分２０３ａの幅は、Ｗｂ４＜Ｗｂ７となるように設定されている。図１３には、一例として、列部分２０３ａの幅Ｗｂ４，Ｗｂ７を示している。尚、ここでは、最大位置ずれ領域の中心から幅Ｗｂ４の中心までの距離Ｄ１と、最大位置ずれ領域の中心から幅Ｗｂ７の中心までの距離Ｄ２とが等しいと仮定する。このように、最大位置ずれ領域の中心からの距離が等しい左右の列部分２０３ａの幅を比較したときに、端部側の列部分２０３ａの幅が、中央部側の列部分２０３ａの幅よりも狭くなっている。
【００４１】
図１４は、ブラックマトリクス２０３の幅と、位置ずれ量との他の関係を示すグラフである。図１４では、図１３と同様に、曲げ方向が行方向の場合における、ブラックマトリクス２０３の列部分２０３ａの行方向の幅Ｗｂを示している。図１４に示すように、中央部では、列部分２０３ａの幅Ｗｂはｔ１であり、左右の最大位置ずれ領域では、列部分２０３ａの幅Ｗｂはｔ２となっている（ｔ２＞ｔ１）。また、左右の領域において、最大位置ずれ領域から端部（左端部、右端部）までは、列部分２０３ａの幅Ｗｂが一定となっている。図１４に示す例によれば、端部の輝度が必要以上に高くなることを防ぐことができるため、左右の最大位置ずれ領域と左端部及び右端部との輝度差による表示品位の低下を抑えることができる。このように、最大位置ずれ領域における列部分２０３ａの幅Ｗｂは、中央部における列部分２０３ａの幅Ｗｂよりも広く、かつ、端部（左端部、右端部）における列部分２０３ａの幅Ｗｂと等しくなっていてもよい。
【００４２】
上記の例では、曲げ方向が行方向の場合を示したが、曲げ方向が列方向の場合は、同様の考えに基づき、ブラックマトリクス２０３の行方向に延在する行部分２０３ｂの幅を、位置ずれ量（図１５参照）に応じて異なるように設定すればよい。また、曲げ方向に関わらず、ブラックマトリクス２０３の列方向に延在する列部分２０３ａの幅と、行方向に延在する行部分２０３ｂの幅の両方を、位置ずれ量（図１５参照）に応じて異なるように設定してもよい。
【００４３】
また、上記の例では、ブラックマトリクス２０３の列部分２０３ａの行方向の幅の中心線ｍ１の位置が、データ線１１の行方向の幅の中心線の位置と一致している場合を示したが、両者の中心位置がずれていてもよい。例えば、図３に示す液晶表示装置１において、左領域に配置されるブラックマトリクス２０３の列部分２０３ａの幅を、列部分２０３ａの行方向の幅の中心線ｍ１の位置が、データ線１１の行方向の幅の中心線の位置よりも中央部側にずれるように設定し、右領域に配置されるブラックマトリクス２０３の列部分２０３ａの幅を、列部分２０３ａの行方向の幅の中心線ｍ１の位置が、データ線１１の行方向の幅の中心線の位置よりも中央部側にずれるように設定してもよい。なお、ブラックマトリクス２０３の列部分２０３ａの行方向の幅の中心線ｍ１の位置と、データ線１１の行方向の幅の中心線の位置との関係は、視認方向や表示パネルのサイズ等を考慮して設定してもよい。
【００４４】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４５】
１  液晶表示装置、１０  表示パネル、２０  データ線駆動回路、３０  ゲート線駆動回路、４０  制御回路、５０  バックライト装置、１１  データ線、１２  ゲート線、１３  薄膜トランジスタ、１４  画素、１５  画素電極、１６  共通電極、１００  薄膜トランジスタ基板、２００  カラーフィルタ基板、３００  液晶層、２０２  光透過部、２０３  ブラックマトリクス、２０３ａ  列部分、２０３ｂ  行部分。
【図１】
2017181818.tif 000003
【図２】
2017181818.tif 000004
【図３】
2017181818.tif 000005
【図４】
2017181818.tif 000006
【図５】
2017181818.tif 000007
【図６】
2017181818.tif 000008
【図７】
2017181818.tif 000009
【図８】
2017181818.tif 000010
【図９】
2017181818.tif 000011
【図１０】
2017181818.tif 000012
【図１１】
2017181818.tif 000013
【図１２】
2017181818.tif 000014
【図１３】
2017181818.tif 000015
【図１４】
2017181818.tif 000016
【図１５】
2017181818.tif 000017